(57)【要約】  靴１００は、足を収容するための内部空間２０ａを囲むアッパー２０を備える。アッパー２０の内足部２２の内足外表面２２ｆには、脚をスイングさせたときに内部空間２０ａから外部に空気が吸い出される空気吸出部３０が設けられ、空気吸出部３０は、靴１００を水平面に載置したとき鉛直方向に対して所定の第１角度だけ傾斜した方向に延伸し、内足外表面２２ｆから凹んでいる。
2020174654.tif 000002
【特許請求の範囲】
【請求項１】
足を収容するための内部空間を囲むアッパーを備え、
前記アッパーの内足部の内足外表面には、脚をスイングさせたときに前記内部空間から外部に空気が吸い出される空気吸出部が設けられ、
前記空気吸出部は、本靴を水平面に載置したとき鉛直方向に対して所定の第１角度だけ傾斜した方向に延伸し、前記内足外表面から凹んでいることを特徴とする靴。
【請求項２】
前記空気吸出部は、前記内足外表面のうち本靴の幅方向中心線に沿う方向で前方から視たときに視認できない領域に設けられる部分を含むことを特徴とする請求項１に記載の靴。
【請求項３】
前記アッパーのつま先部から踵部までの前後長を１００％とするとき、前記空気吸出部は、前記内足外表面のうち、前記つま先部から３０％以上で８０％以下の前後方向領域に設けられる部分を含むことを特徴とする請求項１または２に記載の靴。
【請求項４】
前記空気吸出部は、前記内足外表面の前足部のうち平面視で最も内側に位置する最内点と最も外側に位置する最外点とによって規定される前後方向範囲に設けられる部分を含むことを特徴とする請求項１から３のいずれかに記載の靴。
【請求項５】
前記空気吸出部の後縁は、前記アッパーの前記最内点と前記最外点とを結んだラインより下側に位置することを特徴とする請求項４に記載の靴。
【請求項６】
前記空気吸出部は、前記第１角度が２０°以上７０°以下の範囲内にあり、前記空気吸出部の後縁が前記空気吸出部の前縁より下方に傾斜するスリット形状を有することを特徴とする請求項１から５のいずれかに記載の靴。
【請求項７】
前記アッパーの外表面のうち前記内足外表面を除いた別の外表面に、外部空気を取り込むための空気取込部が設けられ、前記空気取込部は、脚をスイングさせたときに外部気流に交差する方向に延伸し、前記別の外表面から凹んでいることを特徴とする請求項１から６のいずれかに記載の靴。
【請求項８】
前記空気取込部は、本靴の幅方向中心線に沿う方向で前方から視たときに視認できる領域に設けられる部分を含むことを特徴とする請求項７に記載の靴。
【請求項９】
前記アッパーを平面に展開した状態において、前記空気取込部は、前記空気吸出部の延伸方向と同じ方向に延伸することを特徴とする請求項７または８に記載の靴。
【請求項１０】
前記空気取込部は、前記アッパーのつま先部に設けられ、幅方向に延伸することを特徴とする請求項７から９のいずれかに記載の靴。
【請求項１１】
前記アッパーの踵部に、前記内部空間の空気を排出可能な排気部が設けられることを特徴とする請求項１から１０のいずれかに記載の靴。
【請求項１２】
前記内部空間側に凹凸部が設けられたシュータンを有し、前記凹凸部は、前記シュータンの厚み方向に通気可能に形成されることを特徴とする請求項１から１１のいずれかに記載の靴。
【請求項１３】
前記空気吸出部は、ジャガード織りまたはジャガード編みで形成されることを特徴とする請求項１から１２のいずれかに記載の靴。
【発明の詳細な説明】
【技術分野】
【０００１】
本発明は、スポーツ等で着用する靴に関する。
【背景技術】
【０００２】
使用中のシューズ内部の蒸れを軽減するために、通気手段を備えるシューズが知られている。例えば、特許文献１には、開口部に延在する案内片を有する通気手段を備えたシューズが記載されている。このシューズでは、シューズの運動中に案内片が通気手段の開口部中に空気を向けるように配置されている。この案内片は、シューズの縦軸に対して前方に傾斜して配置されている。この構成により、シューズの移動速度が最高になったときに、この案内片は空気の流れに対して実質的に平行になり、空気が通気手段中に入り易くなる。
【先行技術文献】
【特許文献】
【０００３】
【特許文献１】特開２００４−１７４２５７号公報
【発明の概要】
【発明が解決しようとする課題】
【０００４】
本発明者らは、靴内部の蒸れを軽減する観点から、以下の認識を得た。
靴を履いて歩行、走行あるいは運動をするとき、足から発散された汗の蒸気により靴内部が蒸れると着用者に不快感を与える。特許文献１に記載の靴は、案内片を備えた通気手段によって空気を靴内部に空気を導入する構成を有している。しかし、この靴は内部空気の排出について改善の余地がある。【０００５】
本発明者らは、特に脚のスイング中に靴内を効果的に換気する観点でさらに改善すべき点があることを認識した。【０００６】
本発明は、こうした課題に鑑みてなされたものであり、その目的は、脚をスイングさせたとき靴内を効果的に換気することができる靴を提供することにある。
【課題を解決するための手段】
【０００７】
上記課題を解決するために、本発明のある態様の靴は、足を収容するための内部空間を囲むアッパーを備え、アッパーの内足部の内足外表面には、脚をスイングさせたときに内部空間から外部に空気が吸い出される空気吸出部が設けられ、空気吸出部は、本靴を水平面に載置したとき鉛直方向に対して所定の第１角度だけ傾斜した方向に延伸し、内足外表面から凹んでいる。【０００８】
なお、以上の任意の組み合わせや、本発明の構成要素や表現を方法、装置、プログラム、プログラムを記録した一時的なまたは一時的でない記憶媒体、システムなどの間で相互に置換したものもまた、本発明の態様として有効である。
【発明の効果】
【０００９】
本発明によれば、脚をスイングさせたとき靴内を効果的に換気することができる靴を提供できる。
【図面の簡単な説明】
【００１０】
【図１】本発明に係る実施の形態の靴を概略的に示す斜視図である。
【図２】図１の靴を概略的に示す別の斜視図である。
【図３】図１の靴を概略的に示す平面図である。
【図４】図１の靴を履いて走行する状態を模式的に示す図である。
【図５】図１の靴を履いて脚をスイングさせたときの空気の流れを模式的に示す図である。
【図６】図１の靴の空気吸出部を概略的に示す図である。
【図７】図１の靴の空気吸出部を概略的に示す断面図である。
【図８】図１の靴の空気吸出部の角度と換気特性の関係を示すグラフである。
【図９】図１の靴のスイング位置に対する角度およびスイング速度を示すグラフである。
【図１０】図１の靴のスイング位置に対する角度およびスイング速度を示す別のグラフである。
【図１１】図１の靴の空気取込部を概略的に示す図である。
【図１２】図１の靴の空気取込部を概略的に示す断面図である。
【図１３】図１の靴の空気取込部の角度と換気特性の関係を示すグラフである。
【図１４】図１の靴のアッパーを平面に展開した状態を概略的に示す展開図である。
【図１５】図１の靴のシュータンの周囲を示す背面図である。
【図１６】第１変形例に係る靴を概略的に示す平面図である。
【発明を実施するための形態】
【００１１】
以下、本発明を好適な実施形態をもとに各図面を参照しながら説明する。実施形態、変形例では、同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１２】
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１３】
［実施の形態］
以下、図面を参照して、本発明の実施の形態に係る靴１００の構成について説明する。図１は、内足部２２から視た靴１００を概略的に示す斜視図である。図１を含め、以下の図では、特に説明しない限り右足用の靴を示す。本明細書の説明は、左足用の靴にも同様に適用される。図２は、靴１００の空気吸出部を模式的に示す側面図である。図２は、外足側から視た靴１００を概略的に示す別の斜視図である。図３は、平面視の靴１００を概略的に示す図である。
【００１４】
本実施形態の靴１００は、例えば歩行や走行などのスポーツシューズとして使用できる。靴１００は、ソール１０と、アッパー２０とを有する。アッパー２０は、足を収容するための内部空間２０ａを囲む。アッパー２０には、シューレース（不図示）を通すためのハトメ７２が設けられてもよい。アッパー２０の内部空間２０ａ側にはシュータン７０が設けられる。図３に示すように、アッパー２０の幅方向中心線Ｌａから内足側（図中下側）を内足部２２と、幅方向中心線Ｌａから外足側（図中上側）を外足部２４という。また、外足部２４側から内足部２２側に向かう方向を内側といい、その反対方向を外側という。
【００１５】
また、前後方向中心線Ｌｂから前側（図中左側）をアッパー２０の前足部２２ａといい、中心線Ｌｂから後側（図中右側）を後足部２２ｂという。なお、中心線Ｌａと中心線Ｌｂとは互いに直交してもよい。また、靴１００を水平面に載置した状態（以下、「水平状態」という）における上方向を上方または上側といい、その反対方向を下方または下側という。
【００１６】
アッパー２０は、内部空間２０ａから空気を吸い出すための空気吸出部３０と、内部空間２０ａに空気を取り込むための空気取込部４０と、内部空間２０ａから空気を排出するための排気部４４と、つま先から空気取入れるための空気取入れ孔４６と、シュータン７０を介して換気を促すシュータン凹凸部７０ｐとを有する。
【００１７】
図４は、靴１００を履いて走行する状態を模式的に示す図である。この図に示すように、歩行や走行するとき、靴１００を履いた脚がスイング運動する。脚がスイングするとき、アッパー２０の表面に相対的な空気の流れ（以下、「気流Ａｆ」という）が生じる。
【００１８】
図５は、靴１００を履いて脚をスイングさせたときのアッパー２０の表面での気流Ａｆを模式的に示す平面視の図である。気流Ａｆは、アッパー２０の表面に沿って流れるときその凹凸により速度差が生じる。アッパー２０の表面には、気流Ａｆの速度差に応じて圧力が低下する低圧領域Ａｍと、圧力が高まる高圧領域Ａｐとが生じる。例えば、低圧領域Ａｍは、アッパー２０の内足部２２の内足外表面２２ｆの母指球に対応する膨らみ部の近傍から後方に生じうる。例えば、高圧領域Ａｐは、アッパー２０のつま先部２６から外足部２４の外足外表面２４ｆにかけて生じうる。
【００１９】
（空気吸出部）
空気吸出部３０を説明する。図６は、空気吸出部３０を概略的に示す図である。図７は、図６のＡ−Ａ線断面図である。本実施形態では、アッパー２０の内足部２２の内足外表面２２ｆに、複数の空気吸出部３０が設けられる。空気吸出部３０は、内部空間２０ａと外気との間の通気を可能にする通気構造を有する。靴１００を履いた状態で脚をスイングさせたときにアッパー２０の表面に発生した負圧により、内部空間２０ａの空気Ａｇは空気吸出部３０を通って外部に吸い出される（図７を参照）。
【００２０】
図６に示すように、空気吸出部３０は、靴１００を水平状態にしたとき鉛直線Ｌｖに対して所定の第１角度θｐだけ傾斜した方向に延伸している。第１角度θｐについては後述する。本実施形態の空気吸出部３０は、側面視で延伸方向つまり長手方向に細長い矩形、長円等のスリット形状を有する。本実施形態では、複数の空気吸出部３０が互いに略平行に配列されている。空気吸出部３０のスリット形状は、矩形、長円形状に限定されず、蛇行状や台形状、その他形状であってもよい。例えば、複数のパンチング孔を斜めに配置したような構成であってもよい。これらの場合、それぞれの前縁と後縁の中心を結んだ線が第１角度θｐだけ傾斜した方向に延伸していればよい。短手方向に対する長手方向の長さ比は、例えば１１０％以上であり、好ましくは１５０％以上、さらに好ましくは２００％以上であってもよい。
【００２１】
図７に示すように、空気吸出部３０は、内足外表面２２ｆから凹んでいる。本実施形態では、空気吸出部３０は、内足外表面２２ｆに設けられた開口３０ｈと、開口３０ｈの内部空間２０ａ側に設けられた網目体３０ｊとを含んで構成される。空気吸出部３０は、単なる開口であってもよいが、砂や小石の進入を少なくし、また開口を補強する観点から開口３０ｈに網目体３０ｊが設けられている。この実施形態では、空気吸出部３０は、開口３０ｈが設けられた内足外表面２２ｆの内部空間２０ａ側に網目体３０ｊが積層された構造を有する。内足外表面２２ｆと網目体３０ｊの段差は、空気の吸出しを効果的に実現する観点から、０．１ｍｍ以上２０ｍｍ以下の範囲が好ましい。
【００２２】
開口３０ｈが設けられた内足外表面２２ｆと網目体３０ｊとは別々に形成されて接着などの手段により貼り合わせされてもよい。本実施形態では、開口３０ｈが設けられた内足外表面２２ｆと網目体３０ｊとは、厚みの厚い領域と薄い領域とを一体に形成可能な織り方により形成される。例えば、開口３０ｈが設けられた内足外表面２２ｆと網目体３０ｊとは、ジャガード織りまたはジャガード編みにより一体的に形成されてもよい。この例の空気吸出部３０は、ジャガード織りまたはジャガード編みで形成されたレリーフ状の凹部である。
【００２３】
網目体３０ｊの開口率、目開き、線径、メッシュ数等の仕様は、所望の空気抵抗および所望の防塵性能に応じて実験やシミュレーションにより定めうる。例えば、ジャガード編みにより形成する場合、網目体３０ｊは２６ゲージの経編機で８０デニールの太さの糸を用いて編んだ平編等で、十分な通気性が確保可能である。一方、内足外表面２２ｆは網目体３０ｊの２倍程度の太さの糸で編まれているものを用いることができる。この場合、内足外表面２２ｆの通気度は、ＪＩＳＬ１０９６で規定されるフラジール形通気試験で２５０ｃｍ３／（ｃｍ２・ｓ）程度であればよく、網目体３０ｊはさらに大きい通気度を有しているのが好ましい。これに限らず、網目体３０ｊと内足外表面２２ｆとは、目視で確認できる程度の開口率、目開き、線径、メッシュ数等の仕様の差異を有していてもよい。
【００２４】
空気吸出部３０は、負圧が発生しやすい領域に設けられていることが望ましい。図３に示すように、内足外表面２２ｆのうち靴１００の幅方向中心線Ｌａに沿う方向で前方から視たときに視認できない領域は、気流Ａｆがつま先部２６で遮られて負圧が発生しやすいといえる。したがって、空気吸出部３０は、内足外表面２２ｆのうち靴１００の幅方向中心線Ｌａに沿う方向で前方から視たときに視認できない領域に設けられる部分を含んでもよい。つまり、空気吸出部３０は、靴１００の正面から視て目視できない領域に設けられる部分を含んでもよい。
【００２５】
本発明者らの検討の結果、アッパー２０のつま先部２６から踵部２８までの前後長Ｌ１を１００％とするとき、空気吸出部３０は、内足外表面２２ｆの前足部２２ａのうち、つま先部２６から３０％の位置Ｌ２から８０％の位置Ｌ３まで前後領域Ｌ２３では、負圧が発生しやすいことが示唆されている（図３参照）。このため、本実施形態の空気吸出部３０は、つま先部２６から３０％以上で８０％以下の前後領域に設けられる部分を含む。
【００２６】
本発明者らの検討の結果、内足外表面２２ｆの前足部２２ａのうち平面視で最も内側に位置する最内点２２ｅと、最も外側に位置する最外点２２ｐとによって規定される前後方向範囲２２ｐｅでは、特に負圧が発生しやすいことが示唆されている（図３参照）。つまり、最内点２２ｅから最外点２２ｐの間の範囲２２ｐｅは負圧が発生しやすい。このため、本実施形態の空気吸出部３０は、範囲２２ｐｅに設けられる部分を含む。
【００２７】
図４に示すように、脚をスイングさせたとき、気流Ａｆは靴１００の前側上部から後側下部に流れる。このため、空気吸出部３０は、空気が効率よく吸い出されるように、気流Ａｆの方向に沿って後下がりに傾斜する。つまり、空気吸出部３０は、延伸方向の後縁３０ｅが前縁３０ｆよりも下方に位置している。この実施形態では、図１に示すように、空気吸出部３０の後縁３０ｅは、アッパー２０の最内点２２ｅと最外点２２ｐとを結んだラインＬｃよりも下側に位置し、空気吸出部３０の前縁３０ｆは、ラインＬｃよりも上側に位置している。
【００２８】
図８は、空気吸出部３０の延伸方向と気流Ａｆの方向とがなす角度と、空気吸出部３０の換気特性の関係について、本発明者らが検討した結果を示す棒グラフである。なお、空気吸出部３０の換気特性は、脚のスイングを模擬し、前方から向かい風を当てたときに、単位時間当りに換気される空気量と定義される。この図の縦軸は、換気特性を予め設定された基準値を１００としたときの相対比率で表したものであり、数値が大きいほど換気特性が良いことを示している。この図において、Ｘは空気吸出部３０の延伸方向が気流Ａｆの方向と平行である場合を示し、換気効率は８２であった。また、Ｙは空気吸出部３０の延伸方向が気流Ａｆの方向と直交する場合を示し、換気効率は４２であった。
【００２９】
この結果、平行の場合には直交する場合に比べて、換気特性が２倍程度良好であることが分かった。これは、直交の場合には、気流Ａｆが主に開口３０ｈの長辺に衝突し、その部分で局所的に圧力が高まり、吸出し効果が低下するためと考えられる。あるいは、直交の場合には、開口３０ｈでの気流Ａｆの乱れが大きくなり吸出し効果が低下するためと考えられる。これらから、換気特性を向上するためには、空気吸出部３０は気流Ａｆの方向と略平行に延伸することが望ましいといえる。
【００３０】
換気特性を向上する観点から、脚のスイング速度が高いときに、空気吸出部３０の延伸方向が気流Ａｆの方向と平行になることが望ましい。図９、図１０は、脚のスイング位置に対する靴１００の角度θｓおよび靴１００のスイング速度Ｖｓとの関係を示すグラフである。図９は、１７ｋｍ／ｈで走行する場合を示し、図１０は、１２ｋｍ／ｈで走行する場合を示している。
【００３１】
なお、靴１００の角度θｓは、靴１００を水平面に載置した状態を０°として、図４に示すように、側面視で、つま先部２６を中心として踵部２８が反時計回りに回転した場合を正の数値で示し、踵部２８が時計回りに回転した場合を負の数値で示す。また、靴１００のスイング速度Ｖｓは、スイング運動する靴１００の接線方向の速度を示す。
【００３２】
図９、図１０の横軸は、脚のスイングの１サイクルのストロークを１００％とした場合の靴１００のストローク位置を示している。図９、図１０で、破線は左縦軸に対応する靴１００のスイング速度Ｖｓを示し、実線は右縦軸に対応する靴１００の角度θｓを示している。
【００３３】
検討の結果、図９に示すように、１７ｋｍ／ｈで走行する場合、角度θｓが７２°〜１３°の範囲で、スイング速度Ｖｓがピーク速度の９５％以上（１０ｍ／ｓ以上）になる。また、図１０に示すように、１２ｋｍ／ｈで走行する場合、角度θｓが７０°〜１２°の範囲で、スイング速度Ｖｓがピーク速度の９５％以上（７．３ｍ／ｓ以上）になる。この結果から、いずれの走行速度であっても、靴１００の角度θｓが７０°〜２０°の範囲なら、ピーク速度の９５％以上のスイング速度Ｖｓを得られるといえる。換言すると、スイング速度Ｖｓがピーク速度に近い状態では靴１００の角度θｓは４５°±２５°であるといえる。
【００３４】
空気吸出部３０の延伸方向の鉛直線Ｌｖに対する第１角度θｐを説明する。ここで、第１角度θｐは、空気吸出部３０の後縁３０ｅを中心に前縁３０ｆが後縁３０ｅの真上にある状態を０°とし、図６に示すように、側面視で、空気吸出部３０が反時計回りに回転して前縁３０ｆが前向きに傾斜する場合を正の数値で示し、空気吸出部３０が時計回りに回転して前縁３０ｆが後向きに傾斜する場合を負の数値で示す。
【００３５】
上述したように、靴１００の角度θｓが７０°〜２０°の範囲にある場合に、空気吸出部３０の延伸方向は気流Ａｆの方向と略平行であることが望ましい。この条件を実現するため、本実施形態では、第１角度θｐは２０°〜７０°の範囲内に設定され、水平状態で延伸方向の前縁３０ｆが後縁３０ｅより上方に位置している。この場合、スイング速度Ｖｓがピーク速度に近い状態で、空気吸出部３０の延伸方向が気流Ａｆの方向と略平行になるので、負圧を効果的に利用できる。
【００３６】
（空気取込部）
図１１〜図１３も参照して空気取込部４０を説明する。図１１は、空気取込部４０を概略的に示す図である。図１２は、図１１のＢ−Ｂ線断面図である。空気取込部４０は、図１２に示すように、外部空気Ａｊを内部空間２０ａに取り込むための通気部として機能する。特に、空気取込部４０は、靴１００を履いた状態で脚をスイングさせたときに、気流Ａｆの速度差に応じて圧力が高まる高圧領域Ａｐに配置され、この圧力によって効率よく空気を導入可能な構成を有する。
【００３７】
空気取込部４０は、アッパー２０の外表面のうち内足外表面２２ｆを除いた別の外表面に設けられる。例えば、アッパー２０の前方から目視できる領域には、脚をスイングさせたときに気流Ａｆが当たるので、空気取込部４０は、靴１００の前方から目視できる領域に設けられる部分を含んでもよい。本実施形態では、図３に示すように、空気取込部４０は、つま先部２６のつま先外表面２６ｆに設けられる第１空気取込部４０Ｔと、外足部２４の外足外表面２４ｆに設けられる第２空気取込部４０Ｓとを含む。つま先外表面２６ｆから外足部２４の外足外表面２４ｆにかけて高圧領域Ａｐが発生し易いためである。つま先外表面２６ｆおよび外足外表面２４ｆを総称するときは、取込部外表面という。
【００３８】
本実施形態の空気取込部４０は、側面視で延伸方向つまり長手方向に細長い矩形、長円等のスリット形状を有する。図３に示すように、つま先外表面２６ｆには、複数の第１空気取込部４０Ｔが互いに略平行に配列されている。また、図２に示すように、外足外表面２４ｆには、複数の第２空気取込部４０Ｓが互いに略平行に配列されている。空気取込部４０のスリット形状は、矩形、長円形状に限定されず、蛇行状や台形、その他形状であってもよい。例えば、複数のパンチング孔を斜めに配置したような構成であってもよい。これらの場合、それぞれの前縁と後縁の中心を結んだ線が所定の角度だけ傾斜した方向に延伸していればよい。短手方向に対する長手方向の長さ比は、例えば１１０％以上であり、好ましくは１５０％以上、さらに好ましくは２００％以上であってもよい。
【００３９】
空気取込部４０は、内部空間２０ａと外気との間の通気を可能にする通気構造を有する。図１２に示すように、空気取込部４０は、取込部外表面から凹んでいる。本実施形態では、空気取込部４０は、取込部外表面に設けられた開口４０ｈと、開口４０ｈの内部空間２０ａ側に設けられた網目体４０ｊとを含んで構成される。空気取込部４０は、単なる開口であってもよいが、砂や小石の進入を少なくし、また開口を補強する観点から開口４０ｈに網目体４０ｊが設けられている。この実施形態では、空気取込部４０は、開口４０ｈが設けられた取込部外表面の内部空間２０ａ側に網目体４０ｊが積層された構造を有する。外足外表面２４ｆと網目体４０ｊの段差は、空気の取込を効果的に実現する観点から、０．１ｍｍ以上２０ｍｍ以下の範囲が好ましい。
【００４０】
開口４０ｈが設けられた取込部外表面と網目体４０ｊとは別々に形成されて接着などの手段により貼り合わせされてもよい。本実施形態では、開口４０ｈが設けられた取込部外表面と網目体４０ｊとはジャガード織りまたはジャガード編みにより一体的に形成されている。つまり、空気取込部４０は、ジャガード織りまたはジャガード編みで形成されている。
【００４１】
網目体４０ｊの開口率、目開き、線径、メッシュ数等の仕様は、所望の空気抵抗および所望の防塵性能に応じて実験やシミュレーションにより定めうる。製造を容易にする観点から、網目体４０ｊの開口率、目開き、線径、メッシュ数等の仕様は網目体３０ｊと同じであってもよい。先に述べたように、例えばジャガード編みにより形成する場合、網目体４０ｊは２６ゲージの経編機で８０デニールの太さの糸を用いて編んだ平編等で、十分な通気性が確保可能である。一方、外足外表面２４ｆおよびつま先外表面２６ｆは網目体４０ｊの２倍程度の太さの糸で編まれているものを用いることができる。この場合、外足外表面２４ｆおよびつま先外表面２６ｆの通気度は、ＪＩＳＬ１０９６で規定されるフラジール形通気試験で２５０ｃｍ３／（ｃｍ２・ｓ）程度であればよく、網目体４０ｊはさらに大きい通気度を有しているのが好ましい。これに限らず、網目体４０ｊと外足外表面２４ｆおよびつま先外表面２６ｆとは、目視で確認できる程度の開口率、目開き、線径、メッシュ数等の仕様の差異を有していてもよい。
【００４２】
図１３は、空気取込部４０の延伸方向と気流Ａｆの方向とがなす角度と、空気取込部４０の換気特性の関係について、本発明者らが検討した結果を示す棒グラフである。なお、空気取込部４０の換気特性は、脚のスイングを模擬し、前方から向かい風を当てたときに、単位時間当りに換気される空気量と定義される。この図の縦軸は、換気特性を予め設定された基準値を１００としたときの相対比率で表したものであり、数値が大きいほど換気特性が良いことを示している。この図において、Ｘは空気取込部４０の延伸方向が気流Ａｆの方向と平行である場合を示し、換気効率は１４であった。また、Ｙは空気取込部４０の延伸方向が気流Ａｆの方向と直交する場合を示し、換気効率は２８であった。
【００４３】
この結果、直交する場合には平行の場合に比べて、換気特性が２倍程度良好であることが分かった。これは、直交する場合には、気流Ａｆが主に開口４０ｈの長辺に衝突し、その部分で局所的に圧力が高まり、取込効果が向上するためと考えられる。これらから、換気特性を向上するためには、空気取込部４０は気流Ａｆの方向と略直交する方向に延伸することが望ましいといえる。
【００４４】
第１空気取込部４０Ｔの延伸方向を説明する。換気特性を向上する観点から、第１空気取込部４０Ｔは、つま先部２６において、幅方向に延伸してもよい。この場合、第１空気取込部４０Ｔの延伸方向が気流Ａｆの方向と略直交するので、効率よく空気を取込める。
【００４５】
第２空気取込部４０Ｓの延伸方向を説明する。換気特性を向上する観点から、スイング速度Ｖｓがピーク速度に近い状態における靴１００の角度θｓ（４５°±２５°）において第２空気取込部４０Ｓの延伸方向が気流Ａｆの方向と略直交することが望ましい。このため、本実施形態の第２空気取込部４０Ｓは、水平状態で延伸方向の前縁４０ｆが後縁４０ｅより下方に位置するように傾斜している。つまり、第２空気取込部４０Ｓは、気流Ａｆの方向に略直交するように前下がりに傾斜している。第２空気取込部４０Ｓの鉛直線Ｌｖに対する傾斜角θｑは２０°以上７０°以下の範囲内であってもよい。この場合、スイング速度Ｖｓがピーク速度に近い状態で第２空気取込部４０Ｓの延伸方向が気流Ａｆの方向と略直交するので、効率よく空気を取込める。
【００４６】
（排気部）
図１、図２を参照して排気部４４を説明する。図１、図２に示すように、本実施形態の排気部４４は、アッパー２０の踵部２８に設けられる。排気部４４は、内部空間２０ａの空気を排出可能な通気部として機能する。排気部４４は、内足外表面２２ｆの踵側に設けられる第１排気部４４Ｐと、外足外表面２４ｆの踵側に設けられる第２排気部４４Ｓとを含む。排気部４４は、延伸方向に細長い矩形、長円等のスリット形状を有する。第１排気部４４Ｐは、空気吸出部３０と同じ方向に傾斜しており、第２排気部４４Ｓは、第２空気取込部４０Ｓと同じ方向に傾斜している。
【００４７】
排気部４４は、外表面２２ｆ、２４ｆから凹んでおり、開口４４ｈと、その内部空間２０ａ側に設けられた網目体４４ｊと、を含んでいる。開口４４ｈは開口３０ｈと同様の特徴を有し、網目体４４ｊは網目体３０ｊと同様の特徴を有する。製造を容易にする観点から、網目体４４ｊの開口率、目開き、線径、メッシュ数等の仕様は網目体３０ｊと同じであってもよい。また、踵部２８にヒールカウンターを設ける場合、ヒールカウンターの一部を切欠き、その部分に排気部４４を配置してもよい。
【００４８】
図１４は、アッパー２０を平面に展開した状態を概略的に示す展開図である。製造容易化の観点から、アッパー２０を平面に展開した状態において、第１空気取込部４０Ｔおよび第２空気取込部４０Ｓは、空気吸出部３０の延伸方向と同じ方向に延伸してもよい。また、アッパー２０を平面に展開した状態において、排気部４４は、空気吸出部３０の延伸方向と同じ方向に延伸してもよい。本実施形態では、空気吸出部３０と、第１空気取込部４０Ｔと、第２空気取込部４０Ｓと、排気部４４とは、中心線Ｌａに対して２０°〜７０°の範囲内で同じ方向に傾斜している。空気吸出部３０と、第１空気取込部４０Ｔと、第２空気取込部４０Ｓと、排気部４４とはアッパー２０と一体的にジャガード織りまたはジャガード編みで形成されている。
【００４９】
（シュータン凹凸部）
図１５を参照して、シュータン凹凸部７０ｐを説明する。図１５は、シュータン７０の周囲を示す背面図である。シュータンが足８の甲に密着すると、この部分が蒸れやすくなる。そこで、本実施形態では、シュータン７０の内部空間２０ａ側に、凹凸部７０ｐが設けられ、凹凸部７０ｐはシュータン７０の厚み方向（上下方向）に通気可能に形成される。つまり、シュータン７０は、その幅方向（図中左右方向）の中央部に厚み方向に通気可能な素材で形成された通気部７０ｃを有しており、凹凸部７０ｐは通気部７０ｃの内部空間２０ａ側の表面に設けられている。通気部７０ｃは、発泡樹脂などの多孔質素材で形成されてもよい。
【００５０】
凹凸部７０ｐは、足８の甲とシュータン７０との間に凹凸部空間７０ａを形成し、凹凸部７０ｐを介して凹凸部空間７０ａの空気を外部に換気できる。凹凸部７０ｐの形状は、所望の換気特性に対応してシミュレーションまたは実験により定めることができる。
【００５１】
（空気取入れ孔）
図１、図２を参照して空気取入れ孔４６を説明する。図１、図２に示すように、本実施形態の空気取入れ孔４６は、アッパー２０のつま先部２６まで巻き上げられたアウトソール１２の一部を前後方向に貫通するように形成されている。空気取入れ孔４６は、内部空間２０ａの空気を取入れ可能な通気部として機能する。本実施形態の空気取入れ孔４６は、正面視で横長の略矩形形状を有する。空気取入れ孔４６の周囲には補強リブ４６ｂが設けられてもよい。本実施形態の空気取入れ孔４６の下縁は、インナーソールまたは中敷（靴の内部における上面）よりも上方に配置される。空気取入れ孔４６を有することにより、靴１００の前方からも空気を取り込むことが可能になり、換気性能の向上を図れる。
【００５２】
本発明の一態様の概要について説明する。本発明のある態様の靴１００は、足を収容するための内部空間２０ａを囲むアッパー２０を備える。アッパー２０の内足部２２の内足外表面２２ｆには、脚をスイングさせたときに内部空間２０ａから外部に空気が吸い出される空気吸出部３０が設けられ、空気吸出部３０は、靴１００を水平面に載置したとき鉛直方向に対して所定の第１角度θｐだけ傾斜した方向に延伸し、内足外表面２２ｆから凹んでいる。
【００５３】
この態様によれば、歩行や走行により脚をスイングさせたとき、内足外表面２２ｆに沿って流れる外部空気流Ａｆにより空気吸出部３０に負圧を生じさせ、この負圧を利用して内部空間２０ａの内部空気を外部に吸い出すことができる。これにより靴１００の内部を効果的に換気できる。また、空気吸出部３０が斜めに延伸するとともに凹んでいるため、外気の流れに沿う領域が拡大し、負圧を有効に利用することができる。
【００５４】
空気吸出部３０は、内足外表面２２ｆのうち靴１００の幅方向中心線Ｌａに沿う方向で前方から視たときに視認できない領域に設けられる部分を含んでもよい。この場合、内足外表面２２ｆの正面から可視できない領域は負圧になりやすいので、効率よく換気できる。
【００５５】
アッパー２０のつま先部２６から踵部２８までの前後長を１００％とするとき、空気吸出部３０は、内足外表面２２ｆのうち、つま先部２６から３０％以上で８０％以下の前後方向領域に設けられる部分を含んでもよい。この場合、内足外表面２２ｆのつま先部２６から３０％以上で８０％以下の前後方向領域は負圧になりやすいので、効率よく換気できる。
【００５６】
空気吸出部３０は、内足外表面２２ｆの前足部２２ａのうち平面視で最も内側に位置する最内点２２ｅと最も外側に位置する最外点２２ｐとによって規定される前後方向範囲２２ｐｅに設けられる部分を含んでもよい。この場合、アッパー２０の内足外表面２２ｆの前足部２２ａの前後方向範囲２２ｐｅは負圧になりやすいので、効率よく換気できる。
【００５７】
空気吸出部３０の後縁３０ｅは、アッパー２０の最内点２２ｅと最外点２２ｐとを結んだラインＬｃより下側に位置してもよい。この場合、アッパー２０のラインＬｃより下側は負圧になりやすいので、効率よく換気できる。
【００５８】
空気吸出部３０は、第１角度θｐが２０°〜７０°の範囲内にあり、後縁３０ｅが前縁３０ｆより下方に傾斜するスリット形状を有してもよい。この場合、走行時に脚のスイング速度がピーク速度となる靴角度で、空気吸出部３０の延伸方向を外部気流Ａｆの方向と略平行にすることができる。これにより、負圧を効果的に利用できる。
【００５９】
アッパー２０の外表面のうち内足外表面２２ｆを除いた別の外表面２４ｆ、２６ｆに、外部空気を取り込むための空気取込部４０が設けられ、空気取込部４０は、脚をスイングさせたときに外部気流Ａｆに交差する方向に延伸し、別の外表面２４ｆ、２６ｆから凹んでいてもよい。この場合、空気取込部４０で外部空気を取り込むことにより、靴１００の内部を効率よく換気できる。また、空気取込部４０が交差方向に延伸するため、効率よく外気を取込みできる。また、凹んでいることにより、取込空気をこの部分に衝突させて空気を取込み易くできる。
【００６０】
空気取込部４０は、靴１００の幅方向中心線Ｌａに沿う方向で前方から視たときに目視できる領域に設けられる部分を含んでもよい。この場合、この方向から目視できる領域には、脚をスイングさせたときに外気が当たるので、外気を効率よく取込める。
【００６１】
アッパー２０を平面に展開した状態において、空気取込部４０は、空気吸出部３０の延伸方向と同じ方向に延伸してもよい。この場合、見た目が美しく、織物や編物の場合は製造が容易になる。
【００６２】
空気取込部４０は、アッパー２０のつま先部２６に設けられ、幅方向に延伸してもよい。この場合、新鮮な空気を効果的に内部空間２０ａに取り入れることができる。
【００６３】
アッパー２０の踵部２８に、内部空間２０ａの空気を排出可能な排気部４４が設けられてもよい。この場合、後方からも空気を排出することができる。
【００６４】
内部空間２０ａ側に凹凸部７０ｐが設けられたシュータン７０を有し、凹凸部７０ｐは、シュータン７０の厚み方向に通気可能に形成されてもよい。この場合、凹凸部７０ｐは足８の甲とシュータン７０の間に空間を形成し、凹凸部７０ｐを介して円滑に換気できる。
【００６５】
空気吸出部３０は、ジャガード織りまたはジャガード編みで形成されてもよい。この場合、空気吸出部３０の開口３０ｈと網目体３０ｊとを容易に形成できる。
【００６６】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して説明しているが、そのような表記のない内容に設計変更が許容されないわけではない。また、図面の断面に付したハッチングは、ハッチングを付した対象の材質を限定するものではない。
【００６７】
以下、変形例を説明する。変形例の図面および説明では、実施形態と同一または同等の構成要素、部材には、同一の符号を付する。実施形態と重複する説明を適宜省略し、実施形態と相違する構成について重点的に説明する。
【００６８】
［第１変形例］
実施の形態の説明では、凹凸部がシュータン７０に設けられる例を示したが、本発明はこれに限定されない。凹凸部はつま先部２６の内部空間２０ａ側にも設けられてもよい。
図１６は、第１変形例に係る靴１００を概略的に示す平面図である。この図は、つま先部２６の周辺を示している。本変形例のつま先部２６の内部空間２０ａ側には、凹凸部２６ｐが設けられる。この場合、凹凸部２６ｐと足との間に凹凸部空間が形成され、凹凸部２６ｐで面方向の通気を促し、空気取込部４０を介して効率よく換気できる。
【００６９】
凹凸部２６ｐは、所望の換気性能が得られる範囲でどこに設けられてもよい。本変形例では、凹凸部２６ｐは、シュータン７０の左右端からつま先まで中心線Ｌａに平行に延びる２本のラインＬｐに挟まれた領域に設けられている。
【００７０】
［その他の変形例］
実施の形態の説明では、開口３０ｈが設けられた内足外表面２２ｆと網目体３０ｊとはジャガード織りまたはジャガード編みにより一体的に形成される例を示したが、本発明はこれに限定されない。例えば、開口が設けられた内足外表面を樹脂などの素材で形成し、これに網目体を貼り合わせてもよい。
【００７１】
実施の形態の説明では、第１空気取込部４０Ｔおよび第２空気取込部４０Ｓを備える例を示したが、本発明はこれに限定されない。例えば、第１空気取込部４０Ｔと、第２空気取込部４０Ｓの少なくとも一方は設けられていなくてもよい。また、排気部４４を設けることは必須ではない。また、シュータン凹凸部７０ｐ、空気取入れ孔４６を設けることは必須ではない。
【００７２】
実施の形態の説明では、シュータン７０は、その幅方向の中央部に通気部７０ｃが設けられる例を示したが、本発明はこれに限定されない。例えば、シュータン７０が厚み方向に通気性を有する素材で形成されてもよい。また、通気部７０ｃは、中央部以外の部位に設けられてもよい。例えば、通気部７０ｃは、前後方向端部や幅方向端部に設けられてもよいし、シュータン７０の全域に設けられてもよい。
【００７３】
実施の形態の説明では、内足外表面２２ｆの開口３０ｈの周囲が平坦である例を示したが、本発明はこれに限定されない。例えば、内足外表面２２ｆの開口３０ｈの前側長辺の近傍に隆起部が設けられてもよい。この場合、隆起部において気流Ａｆの速度が早くなるので、開口３０ｈの圧力がさらに低下し、効率よく内部空気が吸い出される。
【００７４】
また、内足外表面２２ｆは、アッパー２０とは別の部材で構成されていてもよく、例えば別途に成形された樹脂パーツやソール１０を巻き上げて覆う構成であってもよい。図１では、複数の開口３０ｈが設けられているが、単一の開口３０ｈのみが設けられていてもよい。
【００７５】
また、効率よく換気する観点で、開口３０ｈの内足側アッパーに対する面積比は、本靴を内足側から見たときに視認できる面積に対して例えば１％以上、好ましくは５％以上、さらに好ましくは１０％以上であってもよい。また、同様の観点から、図３に示す、位置Ｌ３（つま先部２６から８０％の位置）に対応する領域の面積に対して、１．５％以上、好ましくは７．５％以上、さらに好ましくは１５％以上であってもよい。一方、アッパー２０をジャガード織またはジャガード編みで形成する場合、強度やフィット性を保つ観点からは、開口３０ｈの内足側アッパーに対する面積比は、例えば４０％以下、好ましくは２０％以下、さらに好ましくは１２％以下であってもよい。同様に、位置Ｌ３に対応する面積に対しては、例えば５０％以下、好ましくは２５％以下、さらに好ましくは２０％以下であってもよい。
【００７６】
実施の形態の説明では、外足外表面２４ｆ、つま先外表面２６ｆの開口４０ｈの周囲が平坦である例を示したが、本発明はこれに限定されない。例えば、空気取込部４０の取込部外表面の開口４０ｈの後側長辺の近傍に隆起部が設けられてもよい。この場合、隆起部の前側において気流Ａｆの速度が遅くなるので、隆起部の前側の開口４０ｈの圧力が高まり、効率よく外部空気を取り込むことができる。
【００７７】
また、外足外表面２４ｆは、アッパー２０とは別の部材で構成されていてもよく、例えば別途に成形された樹脂パーツやソール１０を巻き上げて覆う構成であってもよい。図２では、複数の開口４０ｈが設けられているが、単一の開口４０ｈのみが設けられていてもよい。
【００７８】
また、効率よく換気する観点で、開口４０ｈの外足側アッパーに対する面積比は、本靴を外足側から見たときに視認できる面積に対して例えば１％以上、好ましくは５％以上、さらに好ましくは１０％以上であってもよい。一方、アッパー２０をジャガード織またはジャガード編みで形成する場合、強度やフィット性を保つ観点からは、開口４０ｈの外足側アッパーに対する面積比は、例えば４０％以下、好ましくは２０％以下、さらに好ましくは１２％以下であってもよい。
【００７９】
上述の各変形例は上述の実施形態と同様の作用・効果を奏する。
【００８０】
上述した実施形態と変形例の任意の組み合わせもまた本発明の実施形態として有用である。組み合わせによって生じる新たな実施形態は、組み合わされる各実施形態および変形例それぞれの効果をあわせもつ。
【産業上の利用可能性】
【００８１】
本発明は、靴に関し靴に利用することができる。
【符号の説明】
【００８２】
２０・・・アッパー、２０ａ・・・内部空間、２２・・・内足部、２２ａ・・・前足部、２２ｅ・・・最内点、２２ｆ・・・内足外表面、２２ｐ・・・最外点、２２ｐｅ・・・前後方向範囲、２４・・・外足部、２４ｆ・・・外足外表面、２６・・・つま先部、２８・・・踵部、３０・・・空気吸出部、３０ｅ・・・後縁、３０ｆ・・・前縁、４０・・・空気取込部、４０ｅ・・・後縁、４０ｆ・・・前縁、４４・・・排気部、７０・・・シュータン、７０ａ・・・凹凸部空間、７０ｐ・・・凹凸部、１００・・・靴、Ｌ２３・・・前後領域。
【図１】
2020174654.tif 000003
【図２】
2020174654.tif 000004
【図３】
2020174654.tif 000005
【図４】
2020174654.tif 000006
【図５】
2020174654.tif 000007
【図６】
2020174654.tif 000008
【図７】
2020174654.tif 000009
【図８】
2020174654.tif 000010
【図９】
2020174654.tif 000011
【図１０】
2020174654.tif 000012
【図１１】
2020174654.tif 000013
【図１２】
2020174654.tif 000014
【図１３】
2020174654.tif 000015
【図１４】
2020174654.tif 000016
【図１５】
2020174654.tif 000017
【図１６】
2020174654.tif 000018
【国際調査報告】
2020174654.tif 000019
2020174654.tif 000020
2020174654.tif 000021
2020174654.tif 000022